【手続補正書】
【提出日】令和3年5月27日(2021.5.27)
【手続補正１】
【補正対象書類名】特許請求の範囲
【補正対象項目名】全文
【補正方法】変更
【補正の内容】
【特許請求の範囲】
【請求項１】
ダイヤフラムバルブであって、
内部に、コイルおよび磁極片を有するソレノイド本体と、
前記ソレノイド本体に接続され、弁座を備える弁体カートリッジと、
前記ソレノイド本体内に摺動可能に配置され、長手軸に沿って、通電位置と非通電位置との間を移動する電機子と、
前記弁体カートリッジ内に摺動可能に配置され、前記電機子に接続され一緒に移動するバルブ部材と、前記ソレノイド本体内に配置され、常態では、前記電機子を前記非通電位置に向かって付勢するように作用する付勢部材と、
前記弁体カートリッジから内側に延出し、かつ、前記電機子および前記バルブ部材の前記長手軸に沿った移動に応じて湾曲するように、前記電機子と前記バルブ部材との間に収容されるダイヤフラムと、
スリーブキャビティを形成する支持スリーブ壁部と、内側に延出し前記支持スリーブ壁部に対して横向きである支持スリーブフランジと、を有するダイヤフラム支持スリーブと、を備え、 
前記スリーブキャビティは、前記電機子の少なくとも一部を収容し、 
前記支持スリーブフランジは、前記ダイヤフラムの少なくとも一部と当接し支持し、
前記弁体カートリッジと前記ダイヤフラム支持スリーブとの間で前記ダイヤフラムを挟持する
ことを特徴とするダイヤフラムバルブ。
【請求項２】
請求項１のダイヤフラムバルブにおいて、前記付勢部材は、前記電機子と前記支持スリーブ壁部との間の前記ダイヤフラム支持スリーブの前記スリーブキャビティ内に配置される
ことを特徴とするダイヤフラムバルブ。
【請求項３】
請求項２のダイヤフラムバルブにおいて、前記電機子は、前記支持スリーブ壁部に向けて外側に延出する付勢部材着座部を有し、前記付勢部材は、前記電機子の前記付勢部材着座部と当接する第１付勢部材端部を有する
ことを特徴とするダイヤフラムバルブ。
【請求項４】
請求項３に記載のダイヤフラムバルブにおいて、
前記ソレノイド本体に配置され、前記コイルを支持し、前記磁極片の少なくとも一部および前記電機子の少なくとも一部を内部に摺動可能に収容するボビンと、 
電機子スリーブ壁部と電機子スリーブフランジとを有する電機子スリーブと、を備え、
前記電機子スリーブ壁部は、前記ボビンと前記電機子の少なくとも一部との間に配置され、
前記電機子スリーブフランジは、前記電機子スリーブ壁部から前記ソレノイド本体に向かって外側に延出し、
前記付勢部材は、前記電機子スリーブフランジと当接する第２付勢部材端部を有する
ことを特徴とするダイヤフラムバルブ。
【請求項５】
請求項４に記載のダイヤフラムバルブにおいて、
前記支持スリーブ壁部と前記電機子スリーブフランジとの間に配置され、前記支持スリーブ壁部と前記電機子スリーブフランジとに当接するスペーサシールをさらに備える
ことを特徴とするダイヤフラムバルブ。
【請求項６】
請求項１に記載のダイヤフラムバルブにおいて、 
前記ダイヤフラムは、前記弁体カートリッジと前記ダイヤフラム支持スリーブとの間に収容され、かつ、前記ダイヤフラムバルブ内に前記ダイヤフラムを固定する外周リップを備える
ことを特徴とするダイヤフラムバルブ。
【請求項７】
請求項６に記載のダイヤフラムバルブにおいて、 
前記ダイヤフラムの前記外周リップは、傾斜形状の断面を有する
ことを特徴とするダイヤフラムバルブ。
【請求項８】
請求項１に記載のダイヤフラムバルブにおいて、 
前記弁体カートリッジは、入口と、出口と、を少なくとも備え、
前記弁座は、前記入口および前記出口の間に配置され、
前記バルブ部材は、バルブ閉位置で前記弁座に当接し、バルブ開位置で前記弁座から離れる弁座係合面を有する
ことを特徴とするダイヤフラムバルブ。
【請求項９】
請求項８に記載のダイヤフラムバルブにおいて、 
前記弁体カートリッジは、ピストン穴を有し、前記バルブ部材は、前記ピストン穴内に摺動可能に収容されるピストンを備え、
前記入口は断面積を有し、 
前記ピストンは、前記入口の前記断面積と等しいピストン表面積を有し、圧力均衡状態を形成する
ことを特徴とするダイヤフラムバルブ。
【請求項１０】
請求項１に記載のダイヤフラムバルブにおいて、 
前記ダイヤフラム支持スリーブは、前記弁体カートリッジと螺合する
ことを特徴とするダイヤフラムバルブ。
【請求項１１】
請求項１に記載のダイヤフラムバルブにおいて、 
前記ダイヤフラムは、前記電機子が前記通電位置または前記非通電位置の一方にある場合、前記長手軸に対して横向きであるダイヤフラム面内で延出する
ことを特徴とするダイヤフラムバルブ。
【請求項１２】
請求項１に記載のダイヤフラムバルブにおいて、
前記ダイヤフラムを前記電機子と前記バルブ部材との間で挟持固定可能とする螺合部を、前記電機子と前記バルブ部材との間にさらに備える
ことを特徴とするダイヤフラムバルブ。
【請求項１３】
請求項１に記載のダイヤフラムバルブにおいて、 
前記磁極片は、前記ソレノイド本体内で雌ねじと係合し、かつ、前記ソレノイド本体に対して前記磁極片を回転させることにより前記磁極片の軸方向位置を選択可能とするねじ付き端部を備える
ことを特徴とするダイヤフラムバルブ。
【請求項１４】
ダイヤフラムバルブであって、
内部に、コイルおよび磁極片を有するソレノイド本体と、
前記ソレノイド本体に接続される弁体カートリッジと、
前記ソレノイド本体内に摺動可能に配置され、長手軸に沿って、通電位置と非通電位置との間を移動し、径方向外側に延出する付勢部材着座部を有する電機子と、
前記弁体カートリッジ内に摺動可能に配置され、前記電機子に接続され共に移動するバルブ部材と、 
前記電機子周りに延出し、常態では、前記電機子を前記非通電位置に向かって付勢するように前記電機子の前記付勢部材着座部に対し作用する付勢部材と、
前記弁体カートリッジから径方向内側に延出し、前記電機子と前記バルブ部材との間に収容されるダイヤフラムと、
支持スリーブ壁部および支持スリーブフランジを有するダイヤフラム支持スリーブと、を備え、
前記支持スリーブ壁部は、前記付勢部材の周りに環状に延出し、
前記支持スリーブフランジは、前記ダイヤフラムの少なくとも一部に当接し支持するように、前記支持スリーブ壁部から径方向内側に延出し、
前記支持スリーブフランジは、前記電機子の前記付勢部材着座部の径方向内側に延出する
ことを特徴とするダイヤフラムバルブ。
【請求項１５】
請求項１４に記載のダイヤフラムバルブにおいて、 
前記付勢部材は、前記電機子の前記付勢部材着座部と当接する第１付勢部材端部を有する
ことを特徴とするダイヤフラムバルブ。
【請求項１６】
請求項１５に記載のダイヤフラムバルブにおいて、
前記ソレノイド本体に配置され、前記コイルを支持し、かつ、前記磁極片の少なくとも一部および前記電機子の少なくとも一部の周りに環状に延出するボビンと、 
電機子スリーブ壁部と電機子スリーブフランジとを有する電機子スリーブとを備え、
前記電機子スリーブ壁部は、前記ボビンと前記電機子の少なくとも一部との間に径方向に配置され、
前記電機子スリーブフランジは、前記電機子スリーブ壁部から前記ソレノイド本体に向かって径方向外側に延出し、
前記付勢部材は、前記電機子スリーブフランジと当接する第２付勢部材端部を有する
ことを特徴とするダイヤフラムバルブ。
【請求項１７】
請求項１６に記載のダイヤフラムバルブにおいて、
前記支持スリーブ壁部と前記電機子スリーブフランジとの間に配置され前記支持スリーブ壁部および前記電機子スリーブフランジに当接し、かつ、前記ダイヤフラム支持スリーブと前記電機子スリーブとの公差を許容するスペーサシールをさらに備える
ことを特徴とするダイヤフラムバルブ。
【請求項１８】
請求項１５に記載のダイヤフラムバルブにおいて、 
前記支持スリーブフランジは、前記電機子の前記付勢部材着座部の径方向内側に延出する
ことを特徴とするダイヤフラムバルブ。
【請求項１９】
請求項１５に記載のダイヤフラムバルブにおいて、 
前記ダイヤフラム支持スリーブは、前記支持スリーブ壁部から径方向外側に延出するねじ付き肩部を備え、 
前記弁体カートリッジは、前記ダイヤフラム支持スリーブの前記ねじ付き肩部と係合する雌ねじを有する
ことを特徴とするダイヤフラムバルブ。
【請求項２０】
ダイヤフラムバルブであって、
マニホールド穴を有するマニホールドと、
前記マニホールド穴に収容され、弁座を備える弁体カートリッジと、
前記弁体カートリッジに接続され、かつ、内部にコイルおよび磁極片を有するソレノイド本体と、
前記ソレノイド本体内に摺動可能に配置され、長手軸に沿って、通電位置と非通電位置との間を移動する電機子と、
前記弁体カートリッジ内に摺動可能に配置され、前記電機子に接続され共に移動するバルブ部材と、 
前記ソレノイド本体内に配置され、常態では、前記電機子を前記非通電位置に向かって付勢するように作用する付勢部材と、
前記弁体カートリッジから内側に延出し、かつ、前記電機子および前記バルブ部材の前記長手軸に沿った移動に応じて湾曲するように、前記電機子と前記バルブ部材との間に収容されるダイヤフラムと、
スリーブキャビティを形成する長手方向延出支持スリーブ壁部と、前記長手方向延出支持スリーブ壁部から内側に延出する横向き支持スリーブフランジとを有するダイヤフラム支持スリーブと、を備え、 
前記スリーブキャビティは、前記電機子の少なくとも一部を収容し、 
前記横向き支持スリーブフランジは、前記ダイヤフラムの少なくとも一部と当接し支持すし、
前記弁体カートリッジと前記ダイヤフラム支持スリーブとの間で前記ダイヤフラムを挟持する
ことを特徴とするダイヤフラムバルブ。